(57)【要約】    【課題】      基地局側では応答する端末の数を抑制／分散することができ、また端末側ではアクセス情報（Probability factor）を使用しなくてもカウント開始を通知された時点で応答チャネルを送信すること。    【解決手段】  基地局装置１００は、Down Link Channelからカウント開始を通知するチャネルを認識し、そのチャネルの送信エリアを送信パワーにより制御する送信制御部１０１と、カウント開始を通知するチャネルを認識した各端末から送信されてくる応答チャネルを受信する応答チャネル認識部１０２と、応答チャネルの受信により端末の数をカウントする端末カウント部１０３とを備え、基地局装置１００は、カウント開始を通知するチャネルの送信パワーを段階的に上げていくことでチャネル到達エリアの大きさを複数設定し、各送信エリアにおいて各端末から送信された応答チャネルを受信して端末の数をカウントする。  【選択図】      図１
2006345298.tif 000002
【特許請求の範囲】
【請求項１】
第１の送信エリアの端末に対して通信エリア内における端末数をカウントするためのカウント開始チャネルを通知し、前記カウント開始チャネルを認識した各端末から送信された応答チャネルを受信して、前記応答チャネルの受信により前記第１の送信エリアの端末数をカウントする第１工程と、
前記第１の送信エリアを含みかつそれより大きい第２の送信エリアの端末に対して前記カウント開始チャネルを通知し、前記カウント開始を通知するチャネルを認識した各端末から送信された応答チャネルを受信して、前記応答チャネルの受信により前記第２の送信エリアの端末数をカウントする第２工程とを実行し、
前記第１及び第２工程によりカウントされた第１及び第２の送信エリアの端末数から通信エリア内における端末数を求め、該通信エリア内における端末数を基にデータの送信サービスを決定する工程と
を有する送信制御方法。
【請求項２】
前記第１及び第２の送信エリアの大きさを送信電力制御により変える請求項１記載の送信制御方法。
【請求項３】
第１の送信エリアの端末に対して通信エリア内における端末数をカウントするためのカウント開始チャネルを通知し、前記カウント開始チャネルを認識した各端末から送信された応答チャネルを受信して、前記応答チャネルの受信により前記第１の送信エリアの端末数をカウントする第１工程と、
前記第１の送信エリアに隣接する第２の送信エリアの端末に対して前記カウント開始チャネルを通知し、前記カウント開始を通知するチャネルを認識した各端末から送信された応答チャネルを受信して、前記応答チャネルの受信により前記第２の送信エリアの端末数をカウントする第２工程とを実行し、
前記第１及び第２工程によりカウントされた第１及び第２の送信エリアの端末数から通信エリア内における端末数を求め、該通信エリア内における端末数を基にデータの送信サービスを決定する工程と
を有する送信制御方法。
【請求項４】
前記第１及び第２の送信エリアの位置を指向性アンテナにより変える請求項３記載の送信制御方法。
【請求項５】
通信エリア内における端末数をカウントするためのカウント開始チャネルの送信エリアを、エリアの大きさ又は位置を変えてｎ（ｎは２以上の整数）個設定するエリア設定手段と、
設定されたｎ番目の送信エリアの端末に対して前記カウント開始のチャネルを通知するチャネル通知手段と、
前記カウント開始を通知するチャネルを認識した各端末から送信された応答チャネルを受信する応答チャネル受信手段と、
前記応答チャネルの受信により端末の数をカウントするとともに、前記送信エリア毎に累計して前記通信エリア内における端末数を求める端末カウント手段と、
カウントされた通信エリア内における端末数を基にデータの送信サービスを決定する送信制御手段と
を備える基地局装置。
【請求項６】
前記エリア設定手段は、送信電力制御による送信エリアの大きさの設定である請求項５記載の基地局装置。
【請求項７】
前記エリア設定手段は、指向性アンテナによる送信エリアの位置の設定である請求項５記載の基地局装置。
【請求項８】
前記端末カウント手段は、前記カウント開始を通知するチャネルの到達エリア毎に端末数を認識する請求項５記載の基地局装置。
【発明の詳細な説明】
【技術分野】
【０００１】
本発明は、ＭＢＭＳ（MultimadiaBroadcast/ Multicast Service）等の１対多数の通信形態において使用される制御情報を送信する基地局装置及び送信制御方法に関し、特に、基地局装置においてマルチキャスト，ブロードキャストサービスを提供する際のデータ送信方法の決定に必要な通信エリア内の端末数の認識に関する。
【背景技術】
【０００２】
移動体通信の分野においては、最近、マルチメディア・ブロードキャスト／マルチキャスト・サービス（Multimedia Broadcast/Multicast Service：以下、ＭＢＭＳという）に関する技術的な検討が行われている（例えば、非特許文献１参照）。ＭＢＭＳで行われる通信は、１対１（Point to Point:P-to-P）の通信ではなく、１対多（Point to Muiti:P-to-M）の通信となる。すなわち、ＭＢＭＳでは、１つの基地局が複数の移動局に対して同時に同じデータ（例えば、音楽データやビデオ画像データ等）を送信する。
【０００３】
ＭＢＭＳには、ブロードキャストモード（Broadcast Mode）とマルチキャストモード（Multicast Mode）とがある。ブロードキャストモードが現在のラジオ放送のように全移動局に対して情報送信するようなモードであるのに対し、マルチキャストモードはニュースグループ等そのサービスに加入している特定の移動局に対してのみ情報送信するようなモードが想定される。
【０００４】
ＭＢＭＳを行うことの利点としては以下のことが挙げられる。すなわち、ストリーミング・サービス等で、基地局から送信される情報をそれぞれの移動局が１チャネルずつ使用して受信すると、その情報を受信したい移動局が増えた場合に、無線回線にかかる負荷が大きくなってしまう。しかし、ＭＢＭＳを使用すると、移動局が増えた場合でもそれらの移動局すべてが同じチャネルを使用して情報を受信するので、無線回線にかかる負荷を増大させることなく情報受信できる移動局を増加させることができる。現在、ＭＢＭＳを用いたサービスとしては、交通情報の配信、音楽配信、駅でのニュース配信、スポーツ中継の配信等が考えられており、８〜２５６ｋｂｐｓ程度の伝送レートで行うことが検討されている。
【０００５】
従来、通信エリア内の端末数を認識し、その端末数をもとにデータの送信方法を決定する制御方法には、非特許文献１に示されるような方法が提案されている。
【０００６】
図７は、非特許文献１に記載の基地局装置が端末数をカウントする方法を示すタイミング図である。
【０００７】
最初に、基地局装置側からサービスの提供を通知するためにＭＩＣＨ（MBMS notification Indicator Channel）１１を送信する。これにより、端末側はサービスが開始されることを認識する。次に、基地局装置は、サービス提供を受けようとしている端末数を認識するためにＭＣＣＨ（MBMS point-to-multipoint Control Channel）１２，１３により端末のカウント開始を行うことを通知する。このとき、同時にProbability Factorと呼ばれるＭＣＣＨのアクセス情報１２を通知する。このＭＣＣＨを受信した端末は、サービスを受けようとする場合ＲＡＣＨ（Random Access Channel）を基地局装置に対して送信することになるが、全端末が一斉にＲＡＣＨを送信するとチャネルの衝突が発生するため、特定周期（Access Info Period）で通知されるProbability Factor１２と端末内で生成した乱数情報とを比較し、送信可能と判断した場合にのみＲＡＣＨ１４ａ〜１４ｉの送信を実施する。例えば、Ｐｆ０（Probability Factor 0）では通知を受けた端末のうち端末＃３〜＃６のみがＲＡＣＨ１４ｃ〜１４ｆを送信し、Ｐｆ２では通知を受けた端末のうち端末＃７〜＃９のみがＲＡＣＨ１４ｇ〜１４ｉを送信する。基地局装置は、その応答チャネルＲＡＣＨを受信することによりサービスを提供すべき端末数を把握する。
【０００８】
また、特許文献１には、端末の位置情報（距離や方向）を検出するために、基地局と端末との間の伝搬遅延の測定や、端末から報告される受信レベル情報をもとに距離情報を算出し、指向性アンテナを使用することで方向情報を算出する位置情報検出システムが開示されている。
【非特許文献１】3GPP TS25.346 V6.1.0(2004-06)の5.2.5 MBMS counting
【特許文献１】特開２００４−３３３４１４号公報
【発明の開示】
【発明が解決しようとする課題】
【０００９】
しかしながら、このような従来の基地局装置の端末数カウント方法にあっては、以下のような問題点がある。
【００１０】
非特許文献１記載の方法では、端末側は、サービスの提供を通知された後、基地局側から送信されたアクセス情報を認識し、応答することができるかどうかを判断しなければ、ランダムアクセスチャネル（ＲＡＣＨ）を送信することができない。つまり、端末のカウントを実施するためにより多くの情報を送信し、多くの処理を実施する必要があった。
【００１１】
また、特許文献１記載の装置では、端末側で距離や方向等の詳細な位置情報を演算等により算出する必要がある。
【００１２】
本発明は、かかる点に鑑みてなされたものであり、基地局側では応答する端末の数を抑制／分散することができ、また端末側ではアクセス情報（Probability factor）を使用しなくてもカウント開始を通知された時点で応答チャネルを送信することができる基地局装置及び送信制御方法を提供することを目的とする。
【課題を解決するための手段】
【００１３】
本発明の送信制御方法は、第１の送信エリアの端末に対して通信エリア内における端末数をカウントするためのカウント開始チャネルを通知し、前記カウント開始チャネルを認識した各端末から送信された応答チャネルを受信して、前記応答チャネルの受信により前記第１の送信エリアの端末数をカウントする第１工程と、前記第１の送信エリアを含みかつそれより大きい第２の送信エリアの端末に対して前記カウント開始チャネルを通知し、前記カウント開始を通知するチャネルを認識した各端末から送信された応答チャネルを受信して、前記応答チャネルの受信により前記第２の送信エリアの端末数をカウントする第２工程とを実行し、前記第１及び第２工程によりカウントされた第１及び第２の送信エリアの端末数から通信エリア内における端末数を求め、該通信エリア内における端末数を基にデータの送信サービスを決定する工程とを有する。
【００１４】
また、本発明の送信制御方法は、第１の送信エリアの端末に対して通信エリア内における端末数をカウントするためのカウント開始チャネルを通知し、前記カウント開始チャネルを認識した各端末から送信された応答チャネルを受信して、前記応答チャネルの受信により前記第１の送信エリアの端末数をカウントする第１工程と、前記第１の送信エリアに隣接する第２の送信エリアの端末に対して前記カウント開始チャネルを通知し、前記カウント開始を通知するチャネルを認識した各端末から送信された応答チャネルを受信して、前記応答チャネルの受信により前記第２の送信エリアの端末数をカウントする第２工程とを実行し、前記第１及び第２工程によりカウントされた第１及び第２の送信エリアの端末数から通信エリア内における端末数を求め、該通信エリア内における端末数を基にデータの送信サービスを決定する工程とを有する。
【００１５】
本発明の基地局装置は、通信エリア内における端末数をカウントするためのカウント開始チャネルの送信エリアを、エリアの大きさ又は位置を変えてｎ（ｎは２以上の整数）個設定するエリア設定手段と、設定されたｎ番目の送信エリアの端末に対して前記カウント開始のチャネルを通知するチャネル通知手段と、前記カウント開始を通知するチャネルを認識した各端末から送信された応答チャネルを受信する応答チャネル受信手段と、前記応答チャネルの受信により端末の数をカウントするとともに、前記送信エリア毎に累計して前記通信エリア内における端末数を求める端末カウント手段と、カウントされた通信エリア内における端末数を基にデータの送信サービスを決定する送信制御手段とを備える構成を採る。
【発明の効果】
【００１６】
本発明によれば、チャネル到達エリアを制御して、カウント開始を通知するチャネルを送信するので、応答する端末の数を抑制／分散することができる。また、端末側ではアクセス情報を使用しなくてもカウント開始を通知された時点で応答チャネルを送信することができる。これにより、アクセス情報の認識及びアクセス可能かどうかの判定が不要となる。
【００１７】
また、チャネル到達エリアを制御して、カウント開始を通知するチャネルを送信するので、エリア毎の端末分布状況を知ることが可能となる。また、その分布に応じたサービスを提供することができる。
【発明を実施するための最良の形態】
【００１８】
以下、本発明の一実施の形態について、図面を参照して詳細に説明する。
【００１９】
（実施の形態１）
図１は、本発明の実施の形態１に係る基地局装置の構成を示すブロック図である。
【００２０】
図１において、基地局装置１００は、送信制御部１０１、応答チャネル認識部１０２、及び端末カウント部１０３を備えて構成される。
【００２１】
送信制御部１０１は、Down Link Channelからカウント開始を通知するチャネルを認識し、そのチャネルの送信エリアを送信パワーにより制御する。本実施の形態では、送信パワーを段階的に上げていくことで送信エリアの大きさを複数（例えば、３つ）設定する。
【００２２】
応答チャネル認識部１０２は、カウント開始を通知するチャネルを認識した各端末から送信されてくる応答チャネルを受信する。
【００２３】
端末カウント部１０３は、応答チャネルの受信により端末の数をカウントする。
【００２４】
また、基地局装置１００には、送信制御部１０１から出力される制御情報によりDown Link Channel信号の送信及びUp Link Channel信号の受信を行う送受信部１０４と、無指向性アンテナ１０５とが接続される。
【００２５】
以下、上述のように構成された基地局装置の動作について説明する。
【００２６】
図２は、基地局装置１００の通信エリアを示す図、図３は、基地局装置１００が端末数をカウントする方法を示すタイミング図である。
【００２７】
図２に示すように、基地局装置１００及び無指向性アンテナ１０５を中心とする通信エリアに端末＃１〜＃１５が存在するものとする。
【００２８】
最初に、図３に示すように基地局装置１００側からサービスの提供を通知するためにＭＩＣＨ（MBMS notification Indicator Channel）３０１を送信する。このチャネルは基地局装置１００のセルエッジに到達するレベル（図２の最大送信エリア２１０ｃ）の送信パワーで基地局装置１００より送信される。これにより、端末２０１ａ〜２０１ｏ側はサービスが開始されることを認識する。次に、基地局装置１００は、サービス提供を受けようとしている端末数を認識するためにＭＣＣＨ（MBMS point-to-multipoint Control Channel）３０２ａ〜３０２ｃにより端末のカウント開始を行うことを通知する。
【００２９】
このとき、基地局装置１００は、まず、ＭＣＣＨ３０２ａを通信エリア内のうち送信エリア２１０ａに到達するような送信パワーで送信する。送信エリア２１０ａは、通信エリアを構成する送信エリア２１０ａ〜２１０ｃのうち、送信電力が最も小さい最小の通信エリアである。これにより、送信エリア２１０ａ内にいる端末＃１〜＃４（端末２０１ａ〜２０１ｄ）のみがカウント開始を通知するチャネルＭＣＣＨ３０２ａを受信することとなる。このＭＣＣＨ３０２ａを受信した端末＃１〜＃４（端末２０１ａ〜２０１ｄ）は、サービスを受けようとする場合ＲＡＣＨ（Random Access Channel）３０３ａ〜３０３ｄを基地局装置１００に対して送信する。基地局装置１００は、その応答チャネルＲＡＣＨ３０３ａ〜３０３ｄを受信することにより送信エリア２１０ａ内のサービスを提供すべき端末数を把握する。
【００３０】
次に、ＭＣＣＨ３０２ｂを送信エリア２１０ｂのエリア内に到達するような送信パワーで送信する。送信エリア２１０ｂは、送信電力が中程度の中規模の通信エリアである。これにより、送信エリア２１０ｂ内にいる端末＃５〜＃９（端末２０１ｅ〜２０１ｉ）のみがカウント開始を通知するチャネルＭＣＣＨ３０２ｂを受信することとなる。ここで、最初のＭＣＣＨ３０２ａの受信によりＲＡＣＨを送信した端末２０１ａ〜２０１ｃは、このときカウント開始を通知するチャネルＭＣＣＨ３０２ｂの受信は行っても行わなくても良い。受信を行う場合はＲＡＣＨの送信は行わないこととする。よって、ＭＣＣＨ３０２ｂを受信した端末２０１ｅ〜２０１ｉは、サービスを受けようとする場合ＲＡＣＨ３０３ｅ〜３０３ｉを基地局装置１００に対して送信する。基地局装置１００は、その応答チャネルＲＡＣＨ３０３ｅ〜３０３ｉを受信することにより送信エリア２１０ｂ内のサービスを提供すべき端末数を把握する。
【００３１】
最後に、ＭＣＣＨ３０２ｃを送信エリア２１０ｃのエリア内に到達するような送信パワーで送信する。送信エリア２１０ｃは、通信エリアを構成する送信エリア２１０ａ〜２１０ｃのうち、送信電力が最も大きい通信エリアであり、基地局装置１００のセルエッジに到達するレベルの送信パワーで送信される。これにより、送信エリア２１０ｃ内にいる端末＃１０〜＃１５（端末２０１ｊ〜３０１ｏ）のみがカウント開始を通知するチャネルＭＣＣＨ３０２ｃを受信することとなる。ここで、ＭＣＣＨ３０２ａ，３０２ｂの受信によりＲＡＣＨを送信した端末２０１ａ〜２０１ｉは、このときカウント開始を通知するチャネルＭＣＣＨ３０２ｃの受信は行っても行わなくても良い。受信を行う場合はＲＡＣＨの送信は行わないこととする。よって、ＭＣＣＨ３０２ｃを受信した端末２０１ｊ〜２０１ｏは、サービスを受けようとする場合ＲＡＣＨ３０３ｊ〜３０３ｏを基地局装置１００に対して送信する。基地局装置１００は、その応答チャネルＲＡＣＨ３０３ｊ〜３０３ｏを受信することにより送信エリア２１０ｃ内のサービスを提供すべき端末数を把握する。
【００３２】
以上の動作により、基地局装置１００では、自局の通信エリア内にサービスの提供を受けようとする端末がどれくらい存在するかを知ることができる。
【００３３】
このように、実施の形態１によれば、基地局装置１００は、カウント開始を通知するチャネルの送信パワーを段階的に上げていくことでチャネル到達エリアの大きさを複数設定し、各送信エリアにおいて各端末から送信された応答チャネルを受信して端末の数をカウントするので、応答する端末の数を適切に抑制／分散することができる。また、端末側ではアクセス情報を使用しなくてもカウント開始を通知された時点で応答チャネルを送信することができ、アクセス情報の認識及びアクセス可能かどうかの判定が不要である。
【００３４】
また、チャネル到達エリアを制御して、カウント開始を通知するチャネルを送信するので、エリア毎の端末分布状況を知ることが可能となる。また、その分布に応じたサービス提供ができる。すなわち、基地局装置１００は、カウント開始を通知するチャネルの到達エリア毎に端末数を認識する端末カウント部１０３を備えることで、基地局装置１００よりカウント開始を通知するチャネルを該当するエリアに送信する毎に認識した各端末数を個別に保持することにより、それぞれのエリア内の端末数（端末分布）を知ることが可能となり、それに応じたサービスを提供することができる。
【００３５】
また、本実施の形態は、元々基地局装置１００が保有するセルエッジに到達する通信エリア（図２の最大送信エリア２１０ｃ）の送信パワーを、段階的に変えるだけの制御であるため、追加の設備投資は一切必要なく、既存の機器を用いるため調整等の手間もかからない。したがって、低コストで容易に実施できるという効果がある。
【００３６】
なお、本実施の形態では、カウント開始を通知するチャネルの送信パワーを３段階で説明しているが、送信エリアを複数設定できれば何段階であってもよい。但し、各送信エリア２１０ａ〜２１０ｃにおいて応答する端末の数は概ね均一となるように送信パワーを設定することが好ましい。
【００３７】
（実施の形態２）
図４は、本発明の実施の形態２に係る基地局装置の構成を示すブロック図である。図１と同一構成部分には同一符号を付して重複箇所の説明を省略する。
【００３８】
図４において、基地局装置４００は、Down Link Channelからカウント開始を通知するチャネルを認識し、そのチャネルの送信エリアを送信方向により制御するための制御情報を生成する送信制御部４０１を備える。送信エリアの位置を変えるために、指向性アンテナ４０２により電波の送信方向を変える。
【００３９】
以下、上述のように構成された基地局装置の動作について説明する。
【００４０】
図５は、本発明の実施の形態に係る基地局装置の通信エリアを示す図、図６は、基地局装置が端末数をカウントする方法を示すタイミング図である。
【００４１】
図５に示すように、基地局装置４００及び指向性アンテナ４０２を中心とする通信エリアに端末＃１〜＃１５が存在するものとする。
【００４２】
最初に、図６に示すように基地局装置４００側からサービスの提供を通知するためにＭＩＣＨ６０１を送信する。このチャネルは実施の形態１と同様に、基地局装置４００のセルエッジに到達するレベルの送信パワーで無指向性で基地局装置４００より送信される。すなわち、最初は指向性アンテナ４０２による制御は実施せずに送信される。これにより、端末５０４ａ〜５０４ｏ側はサービスが開始されることを認識する。次に、基地局装置４００は、サービス提供を受けようとしている端末数を認識するためにＭＣＣＨ６０３ａ〜６０３ｆにより端末のカウント開始を行うことを通知する。
【００４３】
このとき、基地局装置４００は、まず、指向性アンテナ４０２を制御することによりＭＣＣＨ６０３ａを送信エリア５０３ａのエリア内に到達するように送信する。これにより、送信エリア５０３ａ内にいる端末＃６，＃１３，＃１４（端末５０４ｆ，５０４ｍ，５０４ｎ）のみがカウント開始を通知するチャネルＭＣＣＨを受信することとなる。このＭＣＣＨを受信した端末＃６，＃１３，＃１４（端末５０４ｆ，５０４ｍ，５０４ｎ）は、サービスを受けようとする場合ＲＡＣＨ６０４ｆ，６０４ｍ，６０４ｎを基地局装置４００に対して送信する。基地局装置４００は、その応答チャネルＲＡＣＨ６０４ｆ，６０４ｍ，６０４ｎを受信することにより送信エリア５０３ａ内のサービスを提供すべき端末数を把握する。
【００４４】
次に、指向性アンテナ４０２を制御することによりＭＣＣＨ６０３ｂを送信エリア５０３ｂのエリア内に到達するように送信する。これにより、送信エリア５０３ｂ内にいる端末＃１，＃７，＃８（端末５０４ａ，５０４ｇ，５０４ｈ）のみがカウント開始を通知するチャネルＭＣＣＨ６０３ｂを受信することとなる。よって、ＭＣＣＨ６０３ｂを受信した端末＃１，＃７，＃８（端末５０４ａ，５０４ｇ，５０４ｈ）は、サービスを受けようとする場合ＲＡＣＨ６０４ａ，６０４ｇ，６０４ｈを基地局装置４００に対して送信する。基地局装置４００は、その応答チャネルＲＡＣＨ６０４ａ，６０４ｇ，６０４ｈを受信することにより送信エリア５０３ｂ内のサービスを提供すべき端末数を把握する。
【００４５】
以降、エリア５０３ｃ，５０３ｄ，５０３ｅ，５０３ｆに対しても同様の処理を実施し該当するエリア内のサービスを提供すべき端末数を把握する。
【００４６】
以上の動作により、基地局装置では自局の通信エリア内にサービスの提供受けようとする端末がどれくらい存在するかを知ることができる。
【００４７】
このように、実施の形態２によれば、送信制御部４０１は、指向性アンテナ４０２により電波の送信方向を変えて送信エリア５０３ａ〜５０３ｆの位置を複数設定し、各送信エリア５０３ａ〜５０３ｆにおいて各端末から送信された応答チャネルを受信して端末の数をカウントするので、実施の形態１と同様に、応答する端末の数を適切に抑制／分散することができる。また、端末側ではアクセス情報を使用しなくてもカウント開始を通知された時点で応答チャネルを送信することができ、アクセス情報の認識及びアクセス可能かどうかの判定が不要である。
【００４８】
また、基地局装置４００は、カウント開始を通知するチャネルの個別送信エリア毎に端末数を認識する端末カウント部１０３を備えることで、基地局装置４００よりカウント開始を通知するチャネルを該当するエリアに送信する毎に認識した各端末数を個別に保持することにより、それぞれのエリア内の端末数（端末分布）を知ることが可能となり、それに応じたサービスを提供することができる。
【００４９】
なお、本実施の形態では、カウント開始を通知するチャネルの指向性アンテナ４０２の制御を６段階で説明しているが、送信エリアを複数設定できれば何段階であってもよい。この場合も各送信エリア５０３ａ〜５０３ｆにおいて応答する端末の数は概ね均一となるように設定することが好ましい。
【００５０】
以上の説明は本発明の好適な実施の形態の例証であり、本発明の範囲はこれに限定されることはない。
【００５１】
また、上記実施の形態では、基地局装置及び送信制御方法という名称を用いたが、これは説明の便宜上であり、マルチモード基地局、データ送信方法等でもよいことは勿論である。
【００５２】
また、上記基地局装置を構成する各回路部の種類、数及び接続方法などは前述した実施の形態に限られない。
【産業上の利用可能性】
【００５３】
本発明に係る基地局装置及び送信制御方法は、通信エリア内の端末数を認識し、その端末数をもとにデータの送信方法を決定する基地局装置とそのデータ送信方法において有用である。
【図面の簡単な説明】
【００５４】
【図１】本発明の実施の形態１に係る基地局装置の構成を示すブロック図
【図２】上記実施の形態１に係る基地局装置の通信エリアを示す図
【図３】上記実施の形態１に係る基地局装置が端末数をカウントする方法を示すタイミング図
【図４】本発明の実施の形態２に係る基地局装置の構成を示すブロック図
【図５】上記実施の形態２に係る基地局装置の通信エリアを示す図
【図６】上記実施の形態２に係る基地局装置が端末数をカウントする方法を示すタイミング図
【図７】従来の基地局装置が端末数をカウントする方法を示すタイミング図
【符号の説明】
【００５５】
１００，４００  基地局装置
１０１，２０１  送信制御部
１０２  応答チャネル認識部
１０３  端末カウント部
１０４  送受信部
１０５  無指向性アンテナ
２０１ａ〜２０１ｏ，５０４ａ〜５０４ｏ  端末
４０２  指向性アンテナ
【図１】
2006345298.tif 000003
【図２】
2006345298.tif 000004
【図３】
2006345298.tif 000005
【図４】
2006345298.tif 000006
【図５】
2006345298.tif 000007
【図６】
2006345298.tif 000008
【図７】
2006345298.tif 000009